【手続補正書】
【提出日】平成22年9月22日(2010.9.22)
【手続補正１】
【補正対象書類名】特許請求の範囲
【補正対象項目名】全文
【補正方法】変更
【補正の内容】
【特許請求の範囲】
【請求項１】
映像信号における代表点を示す複数のインデックスのそれぞれについて前記複数のインデックスと前記映像信号との関連付けを示すインデックス情報と前記複数のインデックスのそれぞれに対応する前記映像信号の縮小画像とが記録されている記録手段から前記インデックス情報および前記縮小画像を取得する取得手段と、
前記取得されたインデックス情報および縮小画像に基づいて、前記映像信号の全体を示す第１のバー表示と、前記第１のバー表示に関連付けて前記第１のバー表示の一部を拡大して示す第２のバー表示と、前記第１のバー表示および前記第２のバー表示に関連付けてそれぞれの前記インデックスの位置を示す第１のマーカと、前記映像信号における現在着目するインデックスの位置を前記第２のバー表示に関連付けて示す第２のマーカと、前記第２のマーカにより指し示されるインデックスに対応する縮小画像とを含むインデックス選択画面を表示手段に表示させる表示制御手段と
を具備する映像処理装置。
【請求項２】
前記インデックス選択画面への表示対象となるインデックスを抽出するための特定条件に関する操作入力に基づいて、前記複数のインデックスから前記特定条件を満たす少なくとも一つのインデックスを抽出する抽出手段をさらに具備し、
前記表示制御手段は、前記複数のインデックスのうち前記抽出手段により抽出されたインデックスの位置を示す前記第１のマーカのみを前記インデックス選択画面に表示させる
請求項１記載の映像処理装置。
【請求項３】
前記表示制御手段は、操作入力に基づいて前記第２のマーカの前記第２のバー表示に対する位置を移動させ、前記第１のマーカの数が多い場合には、前記操作入力に基づく前記第２のマーカの移動速度を遅くさせて表示させる請求項１記載の映像処理装置。
【請求項４】
前記表示制御手段は、前記現在着目するインデックスを一つ前のインデックスに移動させる前項目アイコンと、前記現在着目するインデックスを一つ後のインデックスに移動させる次項目アイコンとを前記インデックス選択画面に表示させる請求項１記載の映像処理装置。
【請求項５】
前記表示制御手段は、前記現在着目するインデックスが前記第１のバー表示における開始端のインデックスとなっている場合において前記前項目アイコンによる移動操作が行われたときには前記現在着目するインデックスが前記第１のバー表示における終了端のインデックスとなるように前記現在着目するインデックスの位置を移動させ、前記現在着目するインデックスが前記第１のバー表示における終了端のインデックスとなっている場合において前記次項目アイコンによる移動操作が行われたときには前記現在着目するインデックスが前記第１のバー表示における開始端のインデックスとなるように前記現在着目するインデックスの位置を移動させる請求項４記載の映像処理装置。
【請求項６】
前記抽出手段は、撮像時にインデックスの判定に使用された複数のインデックス判定要素の情報に基づいて、前記特定条件を満たす前記インデックス判定要素により判定されたインデックスのみを前記特定条件を満たすインデックスとして抽出する請求項２記載の映像処理装置。
【請求項７】
前記表示制御手段は、前記複数のインデックス判定要素のうちから所望のインデックス判定要素を選択するためのインデックス判定要素選択ボタンを前記インデックス選択画面に表示させる請求項６記載の映像処理装置。
【請求項８】
前記抽出手段は、前記インデックス判定要素選択ボタンの選択操作により選択されたインデックス判定要素により判定されたインデックスのみを前記特定条件を満たすインデックスとして抽出する請求項７記載の映像処理装置。
【請求項９】
前記複数のインデックスについてこれらの重要度を判定する重要度判定手段をさらに具備し、
前記抽出手段は、前記重要度判定手段により判定された重要度の高い順に所定数のインデックスを前記特定条件を満たすインデックスとして抽出する
請求項２記載の映像処理装置。
【請求項１０】
前記重要度判定手段は、撮像時にインデックスの判定に使用された複数のインデックス判定要素のうち選択されたインデックス判定要素に基づいて前記重要度を判定する請求項９記載の映像処理装置。
【請求項１１】
前記重要度判定手段は、前記映像信号の記録時間の長い順に前記重要度を判定する請求項９記載の映像処理装置。
【請求項１２】
前記重要度判定手段は、先のインデックスから後続するインデックスまでの時間間隔の長い順に、前記後続するインデックスの前記重要度を判定する請求項９記載の映像処理装置。
【請求項１３】
前記重要度判定手段は、前記インデックスの時点における前記映像信号の顔検出結果に基づいて前記重要度を判定する請求項９記載の映像処理装置。
【請求項１４】
前記重要度判定手段は、前記インデックスの時点の日時の順番に基づいて前記重要度を判定する請求項９記載の映像処理装置。
【請求項１５】
映像信号における代表点を示す複数のインデックスのそれぞれについて前記複数のインデックスと前記映像信号との関連付けを示すインデックス情報と前記複数のインデックスのそれぞれに対応する前記映像信号の縮小画像とが記録されている記録手段から取得された前記縮小画像を含むインデックス選択画面を表示手段に表示させる第１表示制御手順と、
前記記録手段から取得された前記インデックス情報に基づいて、前記映像信号の全体を示す第１のバー表示と、前記第１のバー表示に関連付けて前記第１のバー表示の一部を拡大して示す第２のバー表示と、前記第１のバー表示および前記第２のバー表示に関連付けてそれぞれの前記インデックスの位置を示す第１のマーカと、前記映像信号における現在着目するインデックスの位置を前記第２のバー表示に関連付けて示す第２のマーカとを前記インデックス選択画面に表示させる第２表示制御手順と、
前記第２のマーカにより指し示されるインデックスに対応する縮小画像を前記インデックス選択画面に表示させる第３表示制御手順と
を具備する表示制御方法。
【請求項１６】
映像信号における代表点を示す複数のインデックスのそれぞれについて前記複数のインデックスと前記映像信号との関連付けを示すインデックス情報と前記複数のインデックスのそれぞれに対応する前記映像信号の縮小画像とが記録されている記録手段から取得された前記縮小画像を含むインデックス選択画面を表示手段に表示させる第１表示制御手順と、
前記記録手段から取得された前記インデックス情報に基づいて、前記映像信号の全体を示す第１のバー表示と、前記第１のバー表示に関連付けて前記第１のバー表示の一部を拡大して示す第２のバー表示と、前記第１のバー表示および前記第２のバー表示に関連付けてそれぞれの前記インデックスの位置を示す第１のマーカと、前記映像信号における現在着目するインデックスの位置を前記第２のバー表示に関連付けて示す第２のマーカとを前記インデックス選択画面に表示させる第２表示制御手順と、
前記第２のマーカにより指し示されるインデックスに対応する縮小画像を前記インデックス選択画面に表示させる第３表示制御手順と
をコンピュータに実行させるプログラム。
【請求項１７】
映像信号における代表点を示す複数のインデックスのそれぞれについて前記複数のインデックスと前記映像信号との関連付けを示すインデックス情報と前記複数のインデックスのそれぞれに対応する前記映像信号の縮小画像とが記録されている記録手段から前記インデックス情報および前記縮小画像を取得する取得手段と、
表示対象となるインデックスを抽出する特定条件に関する操作入力に基づいて、前記複数のインデックスから前記特定条件を満たす少なくとも一つのインデックスを抽出する抽出手段と、
前記取得されたインデックス情報および縮小画像に基づいて、前記複数のインデックスのうち前記抽出手段により抽出されたインデックスの前記映像信号における位置と前記縮小画像とを含むインデックス選択画面を表示手段に表示させる表示制御手段と
を具備する映像処理装置。
【請求項１８】
映像信号における代表点を示す複数のインデックスのそれぞれについて前記複数のインデックスと前記映像信号との関連付けを示すインデックス情報と前記複数のインデックスのそれぞれに対応する前記映像信号の縮小画像とが記録されている記録手段から前記インデックス情報を取得し、表示対象となるインデックスを抽出する特定条件に関する操作入力に基づいて、前記取得されたインデックス情報に係る前記複数のインデックスから前記特定条件を満たす少なくとも一つのインデックスを抽出する抽出手順と、
前記記録手段から取得されたインデックス情報および縮小画像に基づいて、前記複数のインデックスのうち前記抽出手順で抽出されたインデックスの前記映像信号における位置と前記縮小画像とを含むインデックス選択画面を表示手段に表示させる表示制御手順と
を具備する表示制御方法。
【請求項１９】
映像信号における代表点を示す複数のインデックスのそれぞれについて前記複数のインデックスと前記映像信号との関連付けを示すインデックス情報と前記複数のインデックスのそれぞれに対応する前記映像信号の縮小画像とが記録されている記録手段から前記インデックス情報を取得し、表示対象となるインデックスを抽出する特定条件に関する操作入力に基づいて、前記取得されたインデックス情報に係る前記複数のインデックスから前記特定条件を満たす少なくとも一つのインデックスを抽出する抽出手順と、
前記記録手段から取得されたインデックス情報および縮小画像に基づいて、前記複数のインデックスのうち前記抽出手順で抽出されたインデックスの前記映像信号における位置と前記縮小画像とを含むインデックス選択画面を表示手段に表示させる表示制御手順と
をコンピュータに実行させるプログラム。
【手続補正２】
【補正対象書類名】明細書
【補正対象項目名】発明の名称
【補正方法】変更
【補正の内容】
【発明の名称】映像処理装置、表示制御方法およびプログラム
【手続補正３】
【補正対象書類名】明細書
【補正対象項目名】０００１
【補正方法】変更
【補正の内容】
【０００１】
本発明は、映像処理装置、表示制御方法およびプログラムに関し、特に、記録された映像の中から目的とする映像を再生時に効率良く検出する映像処理装置、表示制御方法および当該方法をコンピュータに実行させるプログラムに関する。
【手続補正４】
【補正対象書類名】明細書
【補正対象項目名】０１３６
【補正方法】変更
【補正の内容】
【０１３６】
なお、本発明の実施の形態は本発明を具現化するための一例を示したものであり、特許請求の範囲における発明特定事項とそれぞれ対応関係を有するが、これに限定されるものではなく本発明の要旨を逸脱しない範囲において種々の変形を施すことができる。
【手続補正５】
【補正対象書類名】明細書
【補正対象項目名】０１３７
【補正方法】削除
【補正の内容】
【手続補正６】
【補正対象書類名】明細書
【補正対象項目名】０１３８
【補正方法】削除
【補正の内容】
【手続補正７】
【補正対象書類名】明細書
【補正対象項目名】０１３９
【補正方法】削除
【補正の内容】